(57)【特許請求の範囲】
【請求項１】
平面視矩形状の床部と、当該床部の長手方向の一側縁部に設けられる手摺壁と、を有し、側断面視Ｌ字型に形成されたバルコニーユニットに取り付けられ、当該バルコニーユニットの吊り上げ作業に用いられる吊り治具であって、
前記手摺壁の上端部において前記床部の長手方向両端部に取り付けられ、それぞれ前記床部の短手方向に沿って延在する二つの横材と、
両端部がそれぞれ前記二つの横材の先端部に接続され、前記床部の長手方向に沿って設けられる梁材と、
前記床部に立設して取り付けられ、上端部が少なくとも前記二つの横材及び前記梁材で構成される枠状部に接続される二つの縦材と、を備え、
前記枠状部又は前記手摺壁の上端部のうちのいずれか４箇所に、それぞれ吊りワイヤー係止用の吊り金具を取り付けるための吊り金具取付部が設けられており、
前記梁材の両端部はそれぞれ、前記縦材の上端部を介して前記横材に接続され、
前記枠状部は、少なくとも前記二つの横材、前記梁材及び前記二つの縦材の上端部で構成され、
前記吊り金具取付部は、前記二つの横材の基端部にそれぞれ設けられた第１吊り金具取付部と、前記二つの縦材の上端部にそれぞれ設けられた第２吊り金具取付部と、であり、
前記横材は、ウェブ及びフランジを有し前記バルコニーユニットの側方に開口する溝型鋼で形成され、
前記第１吊り金具取付部は、前記溝型鋼の前記ウェブの外面に設けられていることを特徴とする吊り治具。
【請求項２】
平面視矩形状の床部と、当該床部の長手方向の一側縁部に設けられる手摺壁と、を有し、側断面視Ｌ字型に形成されたバルコニーユニットに取り付けられ、当該バルコニーユニットの吊り上げ作業に用いられる吊り治具であって、
前記手摺壁の上端部において前記床部の長手方向両端部に取り付けられ、それぞれ前記床部の短手方向に沿って延在する二つの横材と、
両端部がそれぞれ前記二つの横材の先端部に接続され、前記床部の長手方向に沿って設けられる梁材と、
前記床部に立設して取り付けられ、上端部が少なくとも前記二つの横材及び前記梁材で構成される枠状部に接続される二つの縦材と、を備え、
前記枠状部又は前記手摺壁の上端部のうちのいずれか４箇所に、それぞれ吊りワイヤー係止用の吊り金具を取り付けるための吊り金具取付部が設けられており、
両端部がそれぞれ前記二つの横材の基端部に接続され、前記手摺壁に沿って設けられる第２梁材を更に備え、
前記枠状部は、少なくとも前記二つの横材、前記梁材及び前記第２梁材を有して平面視矩形状に構成されていることを特徴とする吊り治具。
【請求項３】
平面視矩形状の床部と、当該床部の長手方向の一側縁部に設けられる手摺壁と、を有し、側断面視Ｌ字型に形成されたバルコニーユニットに取り付けられ、当該バルコニーユニットの吊り上げ作業に用いられる吊り治具であって、
前記手摺壁の上端部において前記床部の長手方向両端部に取り付けられ、それぞれ前記床部の短手方向に沿って延在する二つの横材と、
両端部がそれぞれ前記二つの横材の先端部に接続され、前記床部の長手方向に沿って設けられる梁材と、
前記床部に立設して取り付けられ、上端部が少なくとも前記二つの横材及び前記梁材で構成される枠状部に接続される二つの縦材と、を備え、
前記枠状部又は前記手摺壁の上端部のうちのいずれか４箇所に、それぞれ吊りワイヤー係止用の吊り金具を取り付けるための吊り金具取付部が設けられており、
前記二つの縦材は、前記床部の長手方向において前記二つの横材よりも内側に設けられていることを特徴とする吊り治具。
【請求項４】
平面視矩形状の床部と、当該床部の長手方向の一側縁部に設けられる手摺壁と、を有し、側断面視Ｌ字型に形成されたバルコニーユニットに取り付けられ、当該バルコニーユニットの吊り上げ作業に用いられる吊り治具であって、
前記手摺壁の上端部において前記床部の長手方向両端部に取り付けられ、それぞれ前記床部の短手方向に沿って延在する二つの横材と、
両端部がそれぞれ前記二つの横材の先端部に接続され、前記床部の長手方向に沿って設けられる梁材と、
前記床部に立設して取り付けられ、上端部が少なくとも前記二つの横材及び前記梁材で構成される枠状部に接続される二つの縦材と、を備え、
前記枠状部又は前記手摺壁の上端部のうちのいずれか４箇所に、それぞれ吊りワイヤー係止用の吊り金具を取り付けるための吊り金具取付部が設けられており、
前記梁材の両端部はそれぞれ、前記縦材の上端部を介して前記横材に接続され、
前記枠状部は、少なくとも前記二つの横材、前記梁材及び前記二つの縦材の上端部で構成され、
前記吊り金具取付部は、前記二つの横材の基端部にそれぞれ設けられた第１吊り金具取付部と、前記二つの縦材の上端部にそれぞれ設けられた第２吊り金具取付部と、であり、
前記二つの縦材は、前記床部の長手方向において前記二つの横材よりも内側に設けられていることを特徴とする吊り治具。
【請求項５】
請求項１又は２に記載の吊り治具において、
前記二つの縦材は、前記床部の長手方向において前記二つの横材よりも内側に設けられていることを特徴とする吊り治具。
【請求項６】
請求項３から５のいずれか一項に記載の吊り治具において、
前記床部の短手方向両側縁部には、立ち上がり壁が設けられ、
前記二つの縦材は、前記床部の長手方向において前記二つの横材よりも前記立ち上がり壁の厚さ分だけ内側に設けられていることを特徴とする吊り治具。
【請求項７】
請求項１から６のいずれか一項に記載の吊り治具において、
前記縦材の下端部には、前記床部の上面に載置固定される固定プレートが一体的に設けられており、
前記固定プレートには、前記床部の縦材固定部に形成されるボルト孔に対応するボルト孔が形成されていることを特徴とする吊り治具。
【請求項８】
請求項７に記載の吊り治具において、
前記縦材の下端部側面には、前記固定プレートを露出させるための作業用開口部が形成されていることを特徴とする吊り治具。
【発明の詳細な説明】
【技術分野】
【０００１】
本発明は、バルコニーユニットを吊り上げるための吊り治具に関する。
【背景技術】
【０００２】
従来、予め工場で製造された複数の建物ユニットを建築現場で相互に接合するユニット式建物が利用されている。このようなユニット式建物によれば、建物の内外装等の殆ど全ての作業が工場で行われるため、建築現場での作業が軽減され、短期間で建物を完成することができる。
ユニット式建物にバルコニーを設ける場合、床部と手摺壁部とを有する断面Ｌ字型のバルコニーユニットを予め工場で製造し、このバルコニーユニットを建築現場で建物本体に接合することが行われている（例えば、特許文献１参照）。
【先行技術文献】
【特許文献】
【０００３】
【特許文献１】特開平１０−０１８４１１号公報
【発明の概要】
【発明が解決しようとする課題】
【０００４】
ところで、バルコニーユニットの手摺壁には、厚みがあって重量の大きい外壁材が用いられる場合がある。このようなバルコニーユニットを、例えばバルコニー床部の四つのコーナー部分に吊りワイヤーを係止した状態で吊り上げてしまうと、バルコニーユニット自体が重量のある手摺壁側に傾いてしまう場合がある。このように傾いてしまうと、運搬作業や施工が困難となる場合がある。また、バルコニーユニットのいずれか三箇所に吊りワイヤーを係止して吊り上げる場合であっても、バルコニーユニットが傾く可能性がある。
また、このように外壁材が重量物であるため、輸送時において、バルコニー床部と手摺壁との間の接合部分等には、振動等により大きな負荷がかかる場合がある。
【０００５】
本発明の課題は、輸送時においてバルコニーユニットを補強するとともに、吊り上げ時においてバルコニーユニットの傾きを確実に防ぐことである。
【課題を解決するための手段】
【０００６】
請求項１に記載の発明は、例えば図１、図３及び図４に示すように、
平面視矩形状の床部２と、当該床部２の長手方向の一側縁部に設けられる手摺壁３と、を有し、側断面視Ｌ字型に形成されたバルコニーユニット１に取り付けられ、当該バルコニーユニット１の吊り上げ作業に用いられる吊り治具１０であって、
前記手摺壁３の上端部において前記床部２の長手方向両端部に取り付けられ、それぞれ前記床部２の短手方向に沿って延在する二つの横材１１と、
両端部がそれぞれ前記二つの横材１１の先端部に接続され、前記床部２の長手方向に沿って設けられる梁材１３と、
前記床部２に立設して取り付けられ、上端部が少なくとも前記二つの横材１１及び前記梁材１３で構成される枠状部１７に接続される二つの縦材１２と、を備え、
前記枠状部１７又は手摺壁３の上端部のうちのいずれか４箇所に、それぞれ吊りワイヤー９係止用の吊り金具１５を取り付けるための吊り金具取付部が設けられていることを特徴とする。
また、請求項１に記載の発明は、
前記梁材１３の両端部はそれぞれ、前記縦材１２の上端部を介して前記横材１１に接続され、
前記枠状部１７は、少なくとも前記二つの横材１１、前記梁材１３及び前記二つの縦材１２の上端部で構成され、
前記吊り金具取付部は、前記二つの横材１１の基端部にそれぞれ設けられた第１吊り金具取付部１１６と、前記二つの縦材１２の上端部にそれぞれ設けられた第２吊り金具取付部１２４と、であることを特徴とする。
加えて、請求項１に記載の発明は、
前記横材１１は、ウェブ１１１及びフランジ１１２、１１３を有し前記バルコニーユニット１の側方に開口する溝型鋼で形成され、
前記第１吊り金具取付部１１６は、前記溝型鋼の前記ウェブ１１１の外面に設けられていることを特徴とする。
【０００７】
請求項１に記載の発明によれば、平面視矩形状の床部２と、当該床部２の長手方向の一側縁部に設けられる手摺壁３と、を有し、側断面視Ｌ字型に形成されたバルコニーユニット１に取り付けられ、当該バルコニーユニット１の吊り上げ作業に用いられる吊り治具１０が、手摺壁３の上端部において床部２の長手方向両端部に取り付けられ、それぞれ床部２の短手方向に沿って延在する二つの横材１１と、両端部がそれぞれ二つの横材１１の先端部に接続され、床部２の長手方向に沿って設けられる梁材１３と、床部２に立設して取り付けられ、上端部が少なくとも二つの横材１１及び梁材１３で構成される枠状部１７に接続される二つの縦材１２と、を備えているので、バルコニーユニット１と吊り治具１０とを、略直方体状をなすように組み合わせることができ、床部２と手摺壁３との間の接合部分等を補強することができる。これによって、例えば輸送時において床部２と手摺壁３との間の接合部分等に大きな負荷がかかったとしても、吊り治具１０が支えとなり、バルコニーユニット１の破損を確実に防止することができる。
また、少なくとも二つの横材１１及び梁材１３で構成される枠状部１７又は手摺壁３の上端部のうちのいずれか４箇所に、それぞれ吊りワイヤー９係止用の吊り金具１５を取り付けるための吊り金具取付部が設けられているため、計四つの吊り金具１５が互いに床部２に対して略同じ高さに配置され、且つ当該四つの吊り金具１５が手摺壁３の上端部と略同じ高さに配置されるため、バルコニーユニット１を吊り上げた際に、このバルコニーユニット１が重量のある手摺壁３側に傾くことを確実に防ぐことができる。これによって、バルコニーユニットの運搬作業や施工を容易に行うことができる。更に、床部２と手摺壁３との間の接合部分にも、吊り上げ時の力がかかりにくくなる。
しかも、工場等で製造されたバルコニーユニット１に吊り治具１０を取り付け、この吊り治具１０を用いてバルコニーユニット１を輸送車両の荷台に運搬し、補強を兼ねて吊り治具１０を取り付けたまま輸送し、現場では吊り治具１０を用いて吊り上げてバルコニーユニット１の施工を行うことができる。すなわち、バルコニーユニット１が工場等で製造されてから、現場で建物本体に接合されるまでの間の作業効率を向上させることができるので、利便性に優れる。
さらに、請求項１に記載の発明によれば、第１吊り金具取付部１１６が、手摺壁３に取り付けられる二つの横材１１の基端部に設けられ、第２吊り金具取付部１２４が、床部２に立設して取り付けられた二つの縦材１２の上端部に設けられているので、吊り金具１５は手摺壁３に対して直接的に取り付けられるものではない。このため、手摺壁３の上端部に笠木が設けられていたり、手摺壁３の内側に内壁材が設けられていたりしても、当該バルコニーユニット１に吊り治具１０を取り付けて、バルコニーユニット１を吊り上げることができる。
また、横材１１の基端部は手摺壁３に取り付けられている箇所であり、縦材１２は床部２に対して立設して取り付けられている部材であるため、横材１１の基端部及び縦材１２の上端部は上向きの力に対して耐久性が高く、バルコニーユニット１を吊り上げた際に第１及び第２吊り金具取付部１１６、１２４に負荷がかかっても、吊り治具１０を構成する各部材が変形する等の破損をより効果的に防止することができる。
加えて、請求項１に記載の発明によれば、吊り上げ時に上向きの力がかかる第１吊り金具取付部１１６が、鉛直に配置されたウェブ１１１の外面に設けられた状態となるので、吊り上げ時に横材１１の第１吊り金具取付部１１６が設けられている箇所にかかる力を効果的に分散できる。これによって、吊り治具１０を用いてバルコニーユニット１を吊り上げた際に横材１１の基端部が変形してねじれてしまうことをより確実に防止することができる。
【０００８】
請求項２に記載の発明は、例えば図１、図３及び図４に示すように、
平面視矩形状の床部２と、当該床部２の長手方向の一側縁部に設けられる手摺壁３と、を有し、側断面視Ｌ字型に形成されたバルコニーユニット１に取り付けられ、当該バルコニーユニット１の吊り上げ作業に用いられる吊り治具１０であって、
前記手摺壁３の上端部において前記床部２の長手方向両端部に取り付けられ、それぞれ前記床部２の短手方向に沿って延在する二つの横材１１と、
両端部がそれぞれ前記二つの横材１１の先端部に接続され、前記床部２の長手方向に沿って設けられる梁材１３と、
前記床部２に立設して取り付けられ、上端部が少なくとも前記二つの横材１１及び前記梁材１３で構成される枠状部１７に接続される二つの縦材１２と、を備え、
前記枠状部１７又は手摺壁３の上端部のうちのいずれか４箇所に、それぞれ吊りワイヤー９係止用の吊り金具１５を取り付けるための吊り金具取付部が設けられていることを特徴とする。
前記梁材１３の両端部はそれぞれ、前記縦材１２の上端部を介して前記横材１１に接続され、
前記枠状部１７は、少なくとも前記二つの横材１１、前記梁材１３及び前記二つの縦材１２の上端部で構成され、
前記吊り金具取付部は、前記二つの横材１１の基端部にそれぞれ設けられた第１吊り金具取付部１１６と、前記二つの縦材１２の上端部にそれぞれ設けられた第２吊り金具取付部１２４と、であることを特徴とする。
また、請求項２に記載の発明は、例えば図５に示すように、
両端部がそれぞれ前記二つの横材１１の基端部に接続され、前記手摺壁３に沿って設けられる第２梁材１８を更に備え、
前記枠状部１７は、少なくとも前記二つの横材１１、前記梁材１３及び前記第２梁材１８を有して平面視矩形状に構成されていることを特徴とする。
【０００９】
請求項２に記載の発明によれば、第２梁材１８の両端部が二つの横材１１の基端部に接続されて設けられているため、二つの横材１１が梁材１３及び第２梁材１８によって支えられ、吊り治具１０Ａの耐久性を向上することができる。これにより、バルコニーユニット１の破損をより確実に防止することができる。
【００１０】
請求項３に記載の発明は、例えば図１、図３及び図４に示すように、
平面視矩形状の床部２と、当該床部２の長手方向の一側縁部に設けられる手摺壁３と、を有し、側断面視Ｌ字型に形成されたバルコニーユニット１に取り付けられ、当該バルコニーユニット１の吊り上げ作業に用いられる吊り治具１０であって、
前記手摺壁３の上端部において前記床部２の長手方向両端部に取り付けられ、それぞれ前記床部２の短手方向に沿って延在する二つの横材１１と、
両端部がそれぞれ前記二つの横材１１の先端部に接続され、前記床部２の長手方向に沿って設けられる梁材１３と、
前記床部２に立設して取り付けられ、上端部が少なくとも前記二つの横材１１及び前記梁材１３で構成される枠状部１７に接続される二つの縦材１２と、を備え、
前記枠状部１７又は手摺壁３の上端部のうちのいずれか４箇所に、それぞれ吊りワイヤー９係止用の吊り金具１５を取り付けるための吊り金具取付部が設けられていることを特徴とする。
また、請求項３に記載の発明は、吊り治具１０において、
前記二つの縦材１２は、前記床部２の長手方向において前記二つの横材１１よりも内側に設けられていることを特徴とする。
【００１１】
請求項３に記載の発明によれば、二つの縦材１２が、床部２の長手方向において二つの横材１１よりも内側に設けられているので、床部２の短手方向両側縁部に、枠状部１７よりも高さの低い他の部材が設けられている構成のバルコニーユニット１に対しても、当該他の部材を避けて吊り治具１０を取り付けることができる。したがって、そのような構成のバルコニーユニット１であっても運搬作業や施工を容易に行うことができる。
【００１２】
請求項４に記載の発明は、例えば図１、図３及び図４に示すように、
平面視矩形状の床部２と、当該床部２の長手方向の一側縁部に設けられる手摺壁３と、を有し、側断面視Ｌ字型に形成されたバルコニーユニット１に取り付けられ、当該バルコニーユニット１の吊り上げ作業に用いられる吊り治具１０であって、
前記手摺壁３の上端部において前記床部２の長手方向両端部に取り付けられ、それぞれ前記床部２の短手方向に沿って延在する二つの横材１１と、
両端部がそれぞれ前記二つの横材１１の先端部に接続され、前記床部２の長手方向に沿って設けられる梁材１３と、
前記床部２に立設して取り付けられ、上端部が少なくとも前記二つの横材１１及び前記梁材１３で構成される枠状部１７に接続される二つの縦材１２と、を備え、
前記枠状部１７又は手摺壁３の上端部のうちのいずれか４箇所に、それぞれ吊りワイヤー９係止用の吊り金具１５を取り付けるための吊り金具取付部が設けられていることを特徴とする。
また、請求項４に記載の発明は、
前記梁材１３の両端部はそれぞれ、前記縦材１２の上端部を介して前記横材１１に接続され、
前記枠状部１７は、少なくとも前記二つの横材１１、前記梁材１３及び前記二つの縦材１２の上端部で構成され、
前記吊り金具取付部は、前記二つの横材１１の基端部にそれぞれ設けられた第１吊り金具取付部１１６と、前記二つの縦材１２の上端部にそれぞれ設けられた第２吊り金具取付部１２４と、であることを特徴とする。
加えて、請求項４に記載の発明は、吊り治具１０において、
前記二つの縦材１２は、前記床部２の長手方向において前記二つの横材１１よりも内側に設けられていることを特徴とする。
【００１３】
請求項４に記載の発明によれば、第１吊り金具取付部１１６が、手摺壁３に取り付けられる二つの横材１１の基端部に設けられ、第２吊り金具取付部１２４が、床部２に立設して取り付けられた二つの縦材１２の上端部に設けられているので、吊り金具１５は手摺壁３に対して直接的に取り付けられるものではない。このため、手摺壁３の上端部に笠木が設けられていたり、手摺壁３の内側に内壁材が設けられていたりしても、当該バルコニーユニット１に吊り治具１０を取り付けて、バルコニーユニット１を吊り上げることができる。
また、横材１１の基端部は手摺壁３に取り付けられている箇所であり、縦材１２は床部２に対して立設して取り付けられている部材であるため、横材１１の基端部及び縦材１２の上端部は上向きの力に対して耐久性が高く、バルコニーユニット１を吊り上げた際に第１及び第２吊り金具取付部１１６、１２４に負荷がかかっても、吊り治具１０を構成する各部材が変形する等の破損をより効果的に防止することができる。
加えて、請求項４に記載の発明によれば、二つの縦材１２が、床部２の長手方向において二つの横材１１よりも内側に設けられているので、床部２の短手方向両側縁部に、枠状部１７よりも高さの低い他の部材が設けられている構成のバルコニーユニット１に対しても、当該他の部材を避けて吊り治具１０を取り付けることができる。したがって、そのような構成のバルコニーユニット１であっても運搬作業や施工を容易に行うことができる。
【００１４】
請求項５に記載の発明は、例えば図１及び図３に示すように、請求項１又は２に記載の吊り治具１０において、
前記二つの縦材１２は、前記床部２の長手方向において前記二つの横材１１よりも内側に設けられていることを特徴とする。
【００１５】
請求項５に記載の発明によれば、二つの縦材１２が、床部２の長手方向において二つの横材１１よりも内側に設けられているので、床部２の短手方向両側縁部に、枠状部１７よりも高さの低い他の部材が設けられている構成のバルコニーユニット１に対しても、当該他の部材を避けて吊り治具１０を取り付けることができる。したがって、そのような構成のバルコニーユニット１であっても運搬作業や施工を容易に行うことができる。
【００１６】
請求項６に記載の発明は、例えば図１及び図３に示すように、請求項３から５のいずれか一項に記載の吊り治具１０において、
前記床部２の短手方向両側縁部には、立ち上がり壁４が設けられ、
前記二つの縦材１２は、前記床部２の長手方向において前記二つの横材１１よりも前記立ち上がり壁４の厚さ分だけ内側に設けられていることを特徴とする。
【００１７】
請求項６に記載の発明によれば、床部２の短手方向両側縁部に、立ち上がり壁４が設けられ、二つの縦材１２が、床部２の長手方向において二つの横材１１よりも立ち上がり壁４の厚さ分だけ内側に設けられているので、当該立ち上がり壁４を避けて吊り治具１０を取り付けることができる。したがって、床部２の短手方向両縁部に立ち上がり壁４が設けられた構成のバルコニーユニット１であっても運搬作業や施工を容易に行うことができる。
【００１８】
請求項７に記載の発明は、例えば図２及び図４に示すように、請求項１から６のいずれか一項に記載の吊り治具１０において、
前記縦材１２の下端部には、前記床部２の上面に載置固定される固定プレート１２１が一体的に設けられており、
前記固定プレート１２１には、前記床部２の縦材固定部２２に形成されるボルト孔２２ａに対応するボルト孔が形成されていることを特徴とする。
【００１９】
請求項７に記載の発明によれば、縦材１２の下端部に、床部２の上面に載置固定される固定プレート１２１が一体的に設けられており、当該固定プレート１２１に、床部２の縦材固定部２２に形成されるボルト孔２２ａに対応するボルト孔が形成されているので、縦材１２を、床部２上に確実かつ強固に立設させることができる。これによって、吊り治具１０及びバルコニーユニット１を補強することができる。
【００２０】
請求項８に記載の発明は、例えば図４に示すように、請求項７に記載の吊り治具１０において、
前記縦材１２の下端部側面には、前記固定プレート１２１を露出させるための作業用開口部１２３が形成されていることを特徴とする。
【００２１】
請求項８に記載の発明によれば、縦材１２の下端部側面に、固定プレート１２１を露出させるための作業用開口部１２３が形成されているので、この作業用開口部１２３から手や工具を入れることができ、この固定プレート１２１と床部２とを確実かつ容易に接合させることができる。
【発明の効果】
【００２２】
本発明によれば、輸送時においてバルコニーユニットを補強するとともに、吊り上げ時においてバルコニーユニットの傾きを確実に防ぐことができる。
【図面の簡単な説明】
【００２３】
【図１】本発明の吊り治具がバルコニーユニットに取り付けられ、当該バルコニーユニットが吊り上げられた状態を示す斜視図である。
【図２】バルコニーユニットの床部の一部を示す概略平面図である。
【図３】本発明の吊り治具がバルコニーユニットに取り付けられた状態の概略平面図である。
【図４】図３におけるIV-IV線に沿った面の矢視断面図である。
【図５】変形例の吊り治具がバルコニーユニットに取り付けられ、当該バルコニーユニットが吊り上げられた状態を示す斜視図である。
【発明を実施するための形態】
【００２４】
以下、図面を参照して本発明の実施の形態について説明する。ただし、以下に述べる実施の形態には、本発明を実施するために技術的に好ましい種々の限定が付されているが、発明の範囲を以下の実施形態及び図示例に限定するものではない。
【００２５】
本発明の吊り治具１０が取り付けられるバルコニーユニット１について、図１及び図２を参照して説明する。
図１は、吊り治具１０がバルコニーユニット１に取り付けられ、この吊り治具１０を用いてバルコニーユニット１を吊り上げた状態を示す斜視図である。図２は、床部２の一部を示す概略平面図である。なお、図２においては、吊り治具１０及び床材２１を省略して示している。
【００２６】
バルコニーユニット１は、平面視矩形状の床部２と、この床部２の長手方向の一側縁部に設けられる手摺壁３と、床部２の短手方向の両側縁部に設けられる立ち上がり壁４と、を有し、側断面視Ｌ字型に形成されている。バルコニーユニット１には吊り治具１０が取り付けられ、吊りワイヤー９により吊り上げられる。
【００２７】
バルコニーユニット１の床部２は、図１及び図２に示すように、枠体２０と、床材２１とを備えている。
枠体２０は、複数の床枠材によって矩形枠状に組み立てられた矩形枠の内部に、根太や補強桟材等の複数の床構成材を組み付けることによって形成されている。なお、床枠材には断面コ字型の溝型鋼が用いられている。
また、枠体２０の内周面には、後述する吊り治具１０の縦材１２の下端部が固定される縦材固定部２２が設けられている。縦材固定部２２は、枠体２０の長手方向の両側縁のうち手摺壁３とは反対側の側縁部に二つ設けられ、枠体２０の長手方向両端部よりも内側に配置され、且つ当該長手方向において後述する二つの横材１１よりも内側に設けられている。また、二つの縦材固定部２２は、後述する縦材１２の取り付け位置に対応する位置に設けられている。当該縦材固定部２２には、図２に示すように、ボルト孔２２ａが形成されている。
また、床材２１は、枠体２０及び縦材固定部２２の上面に敷設されて、バルコニーユニット１の床面を構成している。
【００２８】
手摺壁３は、例えば、枠体２０の長手方向の一側縁部の上面に、該枠体２０の長手方向に間隔をあけて複数の支柱が立設され、当該複数の支柱の上端同士が頭つなぎによって連結され、当該複数の支柱の外部側に外壁材が取り付けられて構成されている。手摺壁３を構成する頭つなぎ及び外壁材の上端部には、高さ調整材や笠木等が設けられているものとしても良い。
【００２９】
手摺壁３を構成する外壁材としては、ＰＡＬＣ（プレキャストオートクレーブド軽量気泡コンクリート）等のコンクリート製の外壁材が用いられている。このようなコンクリート製の外壁材は重量物であるものの、耐火性に優れ、バルコニーユニット１だけでなく、このバルコニーユニット１が取り付けられる建物本体の外壁材としても用いられている。
【００３０】
立ち上がり壁４は、上記手摺壁３の外壁材として用いられるＰＡＬＣ等のコンクリートで構成されている。バルコニーユニット１が建物本体に取り付けられた後に、立ち上がり壁４の上端部には、ガラス面材と当該ガラス面材の上端部に設けられる手摺とを備えたガラス手摺（図示略）が取り付けられる。
【００３１】
なお、上述のバルコニーユニット１は、手摺壁３が平面視において直線状に形成されたものであり、立ち上がり壁４が設けられている代わりに、該バルコニーユニット１の両側に、別のバルコニーユニットを連結できるような構成となっていても良い。別のバルコニーユニットとしては、上述のバルコニーユニット１と同じく手摺壁３が直線状のものでも良いし、手摺壁が平面視Ｌ字型に形成されたものでも良い。
【００３２】
バルコニーユニット１を吊り上げる吊りワイヤー９は、図１に示すように、１本のメインワイヤー９ａと、この１本のメインワイヤー９ａの先端部（図１では下端部）から分岐する４本のサブワイヤー９ｂとを備えており、メインワイヤー９ａがクレーン等に係止され、４本のサブワイヤー９ｂが後述する四つの吊り金具１５にそれぞれ係止されている。
【００３３】
続いて、上記バルコニーユニット１に取り付けられる本発明の吊り治具１０について、図１〜図４を参照して説明する。
図３は、バルコニーユニット１に取り付けられた状態の吊り治具１０の概略平面図である。図４は、図３に示すIV-IV線に沿った面の矢視断面図であって、吊り治具１０の側断面図である。なお、図４においては、床材２１や床部２を構成する部材の一部を省略して示している。
【００３４】
吊り治具１０は、図１〜図４に示すように、手摺壁３の上端部において床部２の長手方向両端部に取り付けられ、それぞれ床部２の短手方向に沿って延在する二つの横材１１と、両端部がそれぞれ二つの横材１１の先端部に接続され、床部２の長手方向に沿って設けられる梁材１３と、床部２に立設して取り付けられ、少なくとも二つの横材１１及び梁材１３で構成される枠状部１７に接続される二つの縦材１２と、を備えている。
【００３５】
横材１１は、手摺壁３の上端部において、床部２の長手方向両端部にそれぞれ取り付けられ、床部２の短手方向（手摺壁３に対して略垂直方向）に沿って延在する部材である。横材１１としては、ウェブ１１１及びフランジ１１２、１１３を有する断面コ字型の溝型鋼が用いられ、当該横材１１はバルコニーユニット１の側方に向けて開口するように配置されている。また、横材１１の基端部は閉塞されて端面１１４を形成し、当該端面１１４には複数のボルト孔（図示略）が形成されている。当該ボルト孔にボルト１１５が挿通されることによって、横材１１の基端部が手摺壁３にボルト接合されている。また、横材１１がバルコニーユニット１の側方に向けて開口するように配置されているため、端面１１４の手摺壁３に対する接合作業が容易になる。
【００３６】
横材１１の基端部には、ウェブ１１１の外面に第１吊り金具取付部１１６が設けられている。第１吊り金具取付部１１６は、横材１１のウェブ１１１の外面に対し溶接等により接合されている。第１吊り金具取付部１１６の上面には、吊り金具１５挿入用のボルト孔（図示略）が形成され、第１吊り金具取付部１１６の内部には吊り金具１５に螺合するナット（図示略）が設けられており、これにより、第１吊り金具取付部１１６に吊り金具１５が固定されている。
【００３７】
ここで、吊り金具１５としては、頭部が環状に形成され、軸部にネジ山が形成されたアイボルトが用いられている。また、吊り金具１５としては、アイボルトに限られるものではなく、本発明の趣旨を逸脱しない範囲で適宜変更可能である。なお、吊り金具１５の環状部分の向きはいずれの向きであっても良く、特に限定されるものではない。
【００３８】
横材１１のウェブ１１１の外面に第１吊り金具取付部１１６が設けられていることにより、横材１１のフランジ１１２の外面に第１吊り金具取付部１１６が設けられている場合に比べて、横材１１の耐久性を向上させることができる。すなわち、ウェブ１１１の外面に第１吊り金具取付部１１６が設けられていることで、吊り治具１０を用いてバルコニーユニット１を吊り上げた際に、横材１１がバルコニーユニット１の荷重によって変形してねじれてしまうことをより確実に防止することができる。
【００３９】
縦材１２は、床部２の長手方向の他側縁部の２箇所において床部２に対して略垂直方向に立設して取り付けられ、それぞれ上端部が横材１１に接続されている部材である。縦材１２としては、いわゆる角型鋼管が用いられている。
縦材１２の下端部には固定プレート１２１が溶接等により固定されて一体的に設けられ、縦材１２の下端部を閉塞する下端面を構成している。当該固定プレート１２１には、床部２の縦材固定部２２のボルト孔２２ａに対応するボルト孔（図示略）が形成されている。また、固定プレート１２１のボルト孔に床材２１を介してボルト１２２が挿通され、縦材固定部２２の下部に設けられるナット（図示略）に螺合することで、縦材１２と床部２とがボルト接合されている。これにより、縦材１２が床部２の上面に載置固定されている。また、床部２の縦材固定部２２が床部２の長手方向において二つの横材１１よりも内側に設けられていることによって、二つの縦材１２は床部２の長手方向において二つの横材１１よりも内側に設けられているが、バルコニーユニット１を安定的に吊り上げる観点から、床部２の長手方向において二つの縦材が可能な限り離れて配置されていることが好ましい。また、縦材固定部２２及び二つの縦材１２は、床部２の長手方向において二つの横材１１よりも立ち上がり壁４の厚さ分だけ内側に設けられており、これにより、立ち上がり壁４が設けられているバルコニーユニット１に対して吊り治具１０が取り付け可能となっている。
【００４０】
また、縦材１２の下端部側面には、固定プレート１２１を露出させるための作業用開口部１２３が形成されている。これにより、固定プレート１２１を露出させることができるので、この作業用開口部１２３から手や工具を入れることができ、固定プレート１２１と床部２とを確実かつ容易に接合することができる。
【００４１】
縦材１２の上端部には、第２吊り金具取付部１２４が溶接等により固定されて一体的に設けられ、縦材１２上端部を閉塞する上端面を構成している。第２吊り金具取付部１２４の上面には、吊り金具１５挿入用のボルト孔（図示略）が形成され、第２吊り金具取付部１２４の下面側（縦材１２の内側）には吊り金具１５に螺合するナット（図示略）が設けられている。これにより、第２吊り金具取付部１２４に吊り金具１５が固定されている。
【００４２】
図１及び図４に示すように、第１吊り金具取付部１１６に取り付けられている二つの吊り金具１５と、第２吊り金具取付部１２４に取り付けられている二つの吊り金具１５とは、床部２に対して互いに略同じ高さに配置されている。また、それら四つの吊り金具１５は、手摺壁３の上端部と略同じ高さに配置されている。これにより、各吊り金具１５に吊りワイヤー９が係止されてバルコニーユニット１が吊り上げられる際に、バルコニーユニット１が傾くことが抑制されて安定的に吊り上げられる。
なお、第１吊り金具取付部１１６又は第２吊り金具取付部１２４は、手摺壁３の上端部に設けられているものとしても良い。この場合にも、第１吊り金具取付部１１６及び第２吊り金具取付部１２４に取り付けられる４つの吊り金具１５は、床部２に対して互いに略同じ高さに配置されることとなる。
【００４３】
横材１１の先端部と縦材１２の上端部との間には、床部２の長手方向に沿って接続部材１４が設けられている。接続部材１４としては、いわゆる角型鋼管が用いられている。接続部材１４の一端部が、横材１１の先端部においてウェブ１１１の外面に接合され、接続部材１４の他端部が、縦材１２の上端部の側面に接合されている。これにより、横材１１と縦材１２とが接続されて、横材１１、縦材１２及び接続部材１４が一体的に構成されている。床部２の長手方向における接続部材１４の長さとしては、立ち上がり壁４の厚さよりも長く形成されている。
【００４４】
梁材１３は、床部２の長手方向に沿って設けられている部材である。梁材１３の両端部はそれぞれ縦材１２の上端部に接続されており、当該縦材１２の上端部は上記したように横材１１の先端部に接続されている。これにより、梁材１３の両端部はそれぞれ、縦材１２の上端部を介して横材１１に接続されている。梁材１３としては、断面コ字型の溝型鋼が用いられ、バルコニーユニット１の側方に向けて開口するように配置されている。また、梁材１３の両端部は閉塞されて端面１３１を形成し、当該端面１３１には複数のボルト孔（図示略）が形成されている。また、縦材１２の内部には、複数のボルト孔に対応するナット（図示略）が埋設されており、梁材１３と縦材１２とはボルト１３２によってボルト接合されている。これにより、吊り治具１０の製造時に梁材１３の長さを変更することで、吊り上げるバルコニーユニット１のサイズに応じて吊り治具１０の形状を容易に変更することができる。また、梁材１３がバルコニーユニット１の側方に向けて開口するように配置されているため、端面１３１の縦材１２に対する接合作業が容易になる。
図１、図３及び図４に示す吊り治具１０においては、上記した二つの横材１１、二つの縦材１２の上端部、梁材１３及び二つの接続部材１４により、平面視矩形枠状の枠状部１７が構成されている。
【００４５】
なお、本実施の形態で用いられる各ボルトは、通常のボルトの他に、例えばハイテンションボルトが用いられている。このハイテンションボルトは、高張力の鋼で作られた強度の高いボルトであり、部材同士の接合状態を向上させることができる。
【００４６】
次に、吊り治具１０を用いてバルコニーユニット１を吊り上げる方法について説明する。
まず、横材１１、縦材１２、梁材１３及び接続部材１４等を組み立てて、予め吊り治具１０を作製しておく。すなわち、横材１１の基端部には、第１吊り金具取付部１１６を設けておき、縦材１２の上端部には、第２吊り金具取付部１２４を設けておき、下端部には固定プレート１２１を設けておく。このとき、梁材１３としては、バルコニーユニット１のサイズに対応した長さのものを用いる。
【００４７】
続いて、このように予め作製された吊り治具１０を、横材１１が手摺壁３に対して略垂直方向に延在するように配置するとともに、縦材１２が床部２に対して略垂直方向に延在するように配置する。
次に、縦材１２の下端部を床部２に固定する。すなわち、縦材１２の固定プレート１２１を床部２の上面に載置し、固定プレート１２１と縦材固定部２２とをボルト１２２及びナット（図示略）によってボルト接合する。
続いて、横材１１の基端部を手摺壁３に固定する。すなわち、横材１１の端面１１４と手摺壁３とをボルト１１５によってボルト接合する。
以上のようにして、吊り治具１０を、バルコニーユニット１の床部２及び手摺壁３に取り付けることができる。
【００４８】
続いて、横材１１の第１吊り金具取付部１１６及び縦材１２の第２吊り金具取付部１２４に、吊り金具１５を取り付ける。なお、吊り治具１０の作製段階で、予め吊り金具１５を取り付けておいても良い。
【００４９】
そして、横材１１基端部の吊り金具１５と、縦材１２上端部の吊り金具１５とに吊りワイヤー９のサブワイヤー９ｂをそれぞれ係止してから、クレーン等によりメインワイヤー９ａを巻き上げることによってバルコニーユニット１を吊り上げる。
以上のようにして、吊り治具１０を用いてバルコニーユニット１を吊り上げることができる。
【００５０】
吊り上げられたバルコニーユニット１は、その後、例えば輸送車両の荷台に運搬されたり、建物本体の側面に取り付けられたりする。
【００５１】
以上、本実施の形態によれば、手摺壁３の上端部において床部２の長手方向両端部に取り付けられ、それぞれ床部２の短手方向に沿って延在する二つの横材１１と、両端部がそれぞれ二つの横材１１の先端部に接続され、床部２の長手方向に沿って設けられる梁材１３と、床部２に立設して取り付けられ、上端部が少なくとも二つの横材１１及び梁材１３で構成される枠状部１７に接続される二つの縦材１２と、を備えているので、バルコニーユニット１と吊り治具１０とを、略直方体状をなすように組み合わせることができ、床部２と手摺壁３との間の接合部分等を補強することができる。これによって、例えば輸送時において床部２と手摺壁３との間の接合部分等に大きな負荷がかかったとしても、吊り治具１０が支えとなり、バルコニーユニット１の破損を確実に防止することができる。
また、少なくとも二つの横材１１及び梁材１３で構成される枠状部１７又は手摺壁３の上端部のうちのいずれか４箇所に、それぞれ第１及び第２吊り金具取付部１１６、１２４が設けられているため、四つの吊り金具１５が床部２に対して略同じ高さに配置され、且つ当該四つの吊り金具１５が手摺壁３の上端部と略同じ高さに配置されるため、バルコニーユニット１を吊り上げた際に、このバルコニーユニット１が重量のある手摺壁３側に傾くことを確実に防ぐことができる。これによって、バルコニーユニットの運搬作業や施工を容易に行うことができる。更に、床部２と手摺壁３との間の接合部分にも、吊り上げ時の力がかかりにくくなる。
しかも、工場等で製造されたバルコニーユニット１に吊り治具１０を取り付け、この吊り治具１０を用いてバルコニーユニット１を輸送車両の荷台に運搬し、補強を兼ねて吊り治具１０を取り付けたまま輸送し、現場では吊り治具１０を用いて吊り上げてバルコニーユニット１の施工を行うことができる。すなわち、バルコニーユニット１が工場等で製造されてから、現場で建物本体に接合されるまでの間の作業効率を向上させることができるので、利便性に優れる。
【００５２】
また、第１吊り金具取付部１１６が、手摺壁３に取り付けられる二つの横材１１の基端部に設けられ、第２吊り金具取付部１２４が、床部２に立設して取り付けられた二つの縦材１２の上端部に設けられているので、吊り金具１５は手摺壁３に対して直接的に取り付けられたものではなく、手摺壁３の上端部に笠木が設けられていたり、手摺壁３の内側に内壁材が設けられていたりしても、当該バルコニーユニット１に吊り治具１０を取り付けて、バルコニーユニット１を吊り上げることができる。また、横材１１の基端部は手摺壁３に取り付けられている箇所であり、縦材１２は床部２に対して立設して取り付けられている部材であるため、横材１１の基端部及び縦材１２の上端部は上向きの力に対して耐久性が高く、バルコニーユニット１を吊り上げた際に第１及び第２吊り金具取付部１１６、１２４に負荷がかかっても、吊り治具１０を構成する各部材が変形する等の破損をより効果的に防止することができる。
【００５３】
また、横材１１がウェブ１１１及びフランジ１１２、１１３を有しバルコニーユニット１の側方に開口する溝型鋼で形成され、第１吊り金具取付部１１６が当該横材１１のウェブ１１１の外面に設けられているので、吊り上げ時に上向きの力がかかる第１吊り金具取付部１１６が、鉛直に配置されたウェブ１１１の外面に設けられた状態となり、吊り上げ時に横材１１の第１吊り金具取付部１１６が設けられている箇所にかかる力を効果的に分散できる。これによって、吊り治具１０を用いてバルコニーユニット１を吊り上げた際に横材１１の基端部が変形してねじれてしまうことをより確実に防止することができる。
【００５４】
また、二つの縦材１２が床部２の長手方向において二つの横材１１よりも内側に設けられているので、床部２の短手方向両側縁部に、枠状部１７よりも高さの低い他の部材が設けられている構成のバルコニーユニット１に対しても、当該他の部材を避けて吊り治具１０を取り付けることができる。したがって、そのような構成のバルコニーユニット１であっても運搬作業や施工を容易に行うことができる。
【００５５】
また、床部２の短手方向両側縁部に立ち上がり壁４が設けられ、二つの縦材１２が、床部２の長手方向において二つの横材１１よりも立ち上がり壁４の厚さ分だけ内側に設けられているので、当該立ち上がり壁４を避けて吊り治具１０を取り付けることができる。したがって、床部２の短手方向両縁部に立ち上がり壁４が設けられた構成のバルコニーユニット１であっても運搬作業や施工を容易に行うことができる。
【００５６】
また、縦材１２の下端部に床部２の上面に載置固定される固定プレート１２１が一体的に設けられ、当該固定プレート１２１には床部２の縦材固定部２２に形成されるボルト孔２２ａに対応するボルト孔が形成されているので、縦材１２を、床部２上に確実かつ強固に立設させることができる。これによって、吊り治具１０及びバルコニーユニット１を補強することができる。
【００５７】
また、縦材１２の下端部側面に固定プレート１２１を露出させるための作業用開口部１２３が形成されているので、この作業用開口部１２３から手や工具を入れることができ、この固定プレート１２１と床部２とを確実かつ容易に接合させることができる。
【００５８】
なお、上記した実施形態によれば、二つの縦材１２の上端部が二つの横材１１の先端部にそれぞれ接続されるものとして説明したが、二つの縦材１２の上端部は、枠状部１７のいずれかの位置に接続されているものとしても良い。例えば、第１吊り金具取付部１１６や第２吊り金具取付部１２４が横材１１の長さ方向中間位置や梁材１３の長さ方向中間位置に設けられている場合、縦材１２の上端部は、枠状部１７の当該第１吊り金具取付部１１６や第２吊り金具取付部１２４が設けられている箇所の下部に接続されているものとしても良い。縦材１２が第１吊り金具取付部１１６や第２吊り金具取付部１２４の下方に設けられていることで、吊り治具１０の耐久性を向上することができ、バルコニーユニット１の破損をより確実に防止することができるため好ましい。
【００５９】
また、上記した実施形態によれば、吊り治具１０を、立ち上がり壁４が設けられているバルコニーユニット１に対して用いられるものとして説明したが、立ち上がり壁４が設けられていないバルコニーユニット１に対して用いられるものとしても良い。この場合には、吊り治具１０は、接続部材１４を備えておらず、横材１１の先端部と縦材１２の上端部が直接的に接合されて構成されているものとしても良い。また、この場合には、縦材１２の床部２に対する取り付け位置は、床部２の長手方向他側縁部において、より両端部寄りに配置されるものであっても良い。また、この場合には、二つの横材１１、二つの縦材１２の上端部及び梁材１３により枠状部１７が構成される。
【００６０】
また、上記した実施形態によれば、第１吊り金具取付部１１６が二つの横材１１の基端部に設けられ、第２吊り金具取付部１２４が二つの縦材１２の上端部に設けられているものとして説明したが、これに限られるものではなく、第１吊り金具取付部１１６及び第２吊り金具取付部１２４は、枠状部１７のいずれか４箇所に設けられているものとしても良い。例えば、第１吊り金具取付部１１６は、枠状部１７のうち横材１１の長さ方向中間部に設けられているものとしても良いし、第２吊り金具取付部１２４は、枠状部１７のうち梁材１３の長さ方向中間部に設けられているものとしても良い。また、この場合には、横材１１及び梁材１３のうち、第１吊り金具取付部１１６や第２吊り金具取付部１２４が設けられている箇所の断面積が大きく形成されているものとしても良い。これにより、吊り治具１０の耐久性を向上することができ、バルコニーユニット１の破損をより確実に防止することができる。
【００６１】
また、上記した実施形態によれば、吊り治具１０の横材１１及び梁材１３が溝型鋼で構成されているものとして説明したが、例えば角型鋼管やその他の棒状部材で構成されているものとしても良い。同様に、上記した実施形態によれば、吊り治具１０の縦材１２及び接続部材１４が角形鋼管で構成されているものとして説明したが、例えば溝型鋼やその他の棒状部材で構成されているものとしても良い。
【００６２】
［変形例］
ここで、図５を参照して吊り治具１０の変形例について説明する。図５は、吊り治具１０Ａがバルコニーユニット１に取り付けられ、この吊り治具１０Ａを用いてバルコニーユニット１を吊り上げた状態を示す斜視図である。
以下に説明する以外の構成は上記実施形態の吊り治具１０と略同様であるため、同一の構成については同一の符号を付し、その詳細な説明を省略する。
【００６３】
変形例の吊り治具１０Ａは、図５に示すように、横材１１、縦材１２及び梁材１３に加えて、第２梁材１８を備えている。
【００６４】
第２梁材１８は、両端部が二つの横材１１の基端部に接続され、手摺壁３に沿って設けられている部材である。第２梁材１８としては、図示例ではいわゆる角型鋼管が用いられているが、例えば断面コ字型の溝型鋼が用いられても良い。また、第２梁材１８は、横材１１に対して溶接により接続されているものとしても良いし、第２梁材１８の両端部が閉塞されてボルト接合により横材１１に接続されているものとしても良い。また、第２梁材１８は、二つの横材１１に接続されるとともに、手摺壁３に対して固定されているものとしても良い。この場合には、吊り治具１０Ａをバルコニーユニット１に対してより強固に取り付けることができ、バルコニーユニット１の吊り上げ時に、吊り治具１０Ａが変形して破損すること等をより確実に防止することができる。
変形例の吊り治具１０Ａにおいては、枠状部１７は、このように構成される第２梁材１８、二つの横材１１及び梁材１３を有して平面視矩形枠状に構成されている。
【００６５】
また、吊り治具１０Ａにおいては、梁材１３が二つの横材１１に直接的に接合されており、接続部材１４を備えていない。
そして、第１吊り金具取付部１１６及び第２吊り金具取付部１２４は、枠状部１７に設けられており、具体的には、第１吊り金具取付部１１６は第２梁材１８の両端部にそれぞれ設けられ、第２吊り金具取付部１２４は梁材１３の両端部にそれぞれ設けられている。
【００６６】
また、縦材１２の上端部は、第２吊り金具取付部１２４の下方において枠状部１７、すなわち梁材１３に接続されている。これにより、枠状部１７のうち第２吊り金具取付部１４が設けられている箇所に負荷がかかっても、当該箇所が変形して破損すること等を防止することができる。
【００６７】
以上、変形例の吊り治具１０Ａによれば、第２梁材１８が二つの横材１１の基端部に接続されて設けられているため、二つの横材１１が梁材１３及び第２梁材１８によって支えられ、吊り治具１０Ａの耐久性を向上することができる。これにより、バルコニーユニット１の破損をより確実に防止することができる。
【符号の説明】
【００６８】
１      バルコニーユニット
２      床部
３      手摺壁
４      立ち上がり壁
９      ワイヤー
９ａ    メインワイヤー
９ｂ    サブワイヤー
１０    吊り治具
１１    横材
１２    縦材
１３    梁材
１４    接続部材
１５    吊り金具
１６    固定プレート
１７    枠状部
１８    第２梁材
２０    枠体
２１    床材
２２    縦材固定部
２２ａ  ボルト孔
１１１  ウェブ
１１２、１１３  フランジ
１１４  端面
１１５  ボルト
１１６  第１吊り金具取付部
１２１  固定プレート
１２２  ボルト
１２３  作業用開口部
１２４  第２吊り金具取付部
１３１  端面
１３２  ボルト
【図１】
0006411788.tif 000002
【図２】
0006411788.tif 000003
【図３】
0006411788.tif 000004
【図４】
0006411788.tif 000005
【図５】
0006411788.tif 000006